(57)【特許請求の範囲】
【請求項１】
ＢＰＳＫ変調波、ＱＰＳＫ変調波および８ＰＳＫ変調波が時間軸多重化されたＢＳデジタル信号を受信するＢＳデジタル受信機において、
ＢＰＳＫ変調区間の復調データにおける位相誤差に基づいて復調のためのキャリアを再生する第１のキャリア再生回路を備えた第１の復調回路と、
ＢＰＳＫ変調区間の復調データ、ＱＰＳＫ変調区間の復調データおよび８ＰＳＫ変調区間の復調データにおける位相誤差に基づいて復調のためのキャリアを再生する第２のキャリア再生回路を備えた第２の復調回路と、
第１のキャリア再生回路によって再生されたキャリアのロックが維持され、かつ第２のキャリア再生回路によって再生されるキャリアがロック状態のときに、第２の復調回路から出力される８ＰＳＫ変調区間の復調データを選択し、第１の復調回路から出力されるＢＰＳＫ変調区間およびＱＰＳＫ変調区間の復調データを選択して出力するセレクタと
を備えたことを特徴とするＢＳデジタル放送受信機。
【請求項２】
ＢＰＳＫ変調波、ＱＰＳＫ変調波および８ＰＳＫ変調波が時間軸多重化されたＢＳデジタル信号を受信するＢＳデジタル受信機において、
ＢＰＳＫ変調区間の復調データにおける位相誤差に基づいて復調のためのキャリアを再生する第１のキャリア再生回路を備えた第１の復調回路と、
第１のキャリア再生回路によって再生されたキャリアがロック状態のときに第１の復調回路から出力される復調データの受信点の分散からＣＮＲを求めるＣＮＲ演算手段と、
ＣＮＲがあらかじめ定めた値以上のとき、ＢＰＳＫ変調区間の復調データ、ＱＰＳＫ変調区間の復調データおよび８ＰＳＫ変調区間の復調データにおける位相誤差に基づいて復調のためのキャリアを再生する第２のキャリア再生回路を備えた第２の復調回路と、
演算されたＣＮＲが予め定めた値以上であって、第１のキャリア再生回路によって再生されたキャリアのロックが維持され、かつ第２のキャリア再生回路によって再生されるキャリアがロック状態のときに、第２の復調回路から出力される８ＰＳＫ変調区間の復調データを選択し、第１の復調回路から出力されるＢＰＳＫ変調区間およびＱＰＳＫ変調区間の復調データを選択して出力するセレクタと
を備えたことを特徴とするＢＳデジタル放送受信機。
【請求項３】
ＢＰＳＫ変調波、ＱＰＳＫ変調波および８ＰＳＫ変調波が時間軸多重化されたＢＳデジタル信号を受信するＢＳデジタル受信機において、
ＢＰＳＫ変調区間の復調データにおける位相誤差に基づいて復調のためのキャリアを再生する第１のキャリア再生回路を備えた第１の復調回路と、
第１のキャリア再生回路によって再生されたキャリアがロック状態のときに第１の復調回路から出力される復調データの受信点の分散からＣＮＲを求めるＣＮＲ演算手段と、
ＣＮＲがあらかじめ定めた値未満のとき、ＢＰＳＫ変調区間の復調データおよびＱＰＳＫ変調区間の復調データにおける位相誤差に基づいて復調のためのキャリアを再生する第２のキャリア再生回路を備えた第２の復調回路と、
演算されたＣＮＲが予め定めた未満であって、第１のキャリア再生回路によって再生されたキャリアのロックが維持され、かつ第２のキャリア再生回路によって再生されるキャリアがロック状態のときに、第２の復調回路から出力されるＱＰＳＫ変調区間の復調データを選択し、第１の復調回路から出力されるＢＰＳＫ変調区間の復調データを選択して出力するセレクタと
を備えたことを特徴とするＢＳデジタル放送受信機。
【請求項４】
ＢＰＳＫ変調波、ＱＰＳＫ変調波および８ＰＳＫ変調波が時間軸多重化されたＢＳデジタル信号を受信するＢＳデジタル受信機において、
ＢＰＳＫ変調区間の復調データにおける位相誤差に基づいて復調のためのキャリアを再生する第１のキャリア再生回路を備えた第１の復調回路と、
第１のキャリア再生回路によって再生されたキャリアがロック状態のときに第１の復調回路から出力される復調データの受信点の分散からＣＮＲを求めるＣＮＲ演算手段と、
ＣＮＲがあらかじめ定めた値以上のとき、ＢＰＳＫ変調区間の復調データ、ＱＰＳＫ変調区間の復調データおよび８ＰＳＫ変調区間の復調データにおける位相誤差に基づいて復調のためのキャリアを再生し、かつＣＮＲがあらかじめ定めた値未満のとき、ＢＰＳＫ変調区間の復調データおよびＱＰＳＫ変調区間の復調データにおける位相誤差に基づいて復調のためのキャリアを再生する第２のキャリア再生回路を備えた第２の復調回路と、
演算されたＣＮＲが予め定めた値以上であって、第１のキャリア再生回路によって再生されたキャリアのロックが維持され、かつ第２のキャリア再生回路によって再生されるキャリアがロック状態のときに、第２の復調回路から出力される８ＰＳＫ変調区間の復調データを選択し、第１の復調回路から出力されるＢＰＳＫ変調区間およびＱＰＳＫ変調区間の復調データを選択し、演算されたＣＮＲが予め定めた未満であって、第１のキャリア再生回路によって再生されたキャリアのロックが維持され、かつ第２のキャリア再生回路によって再生されるキャリアがロック状態のときに、第２の復調回路から出力されるＱＰＳＫ変調区間の復調データを選択し、第１の復調回路から出力されるＢＰＳＫ変調区間の復調データを選択して出力するセレクタと
を備えたことを特徴とするＢＳデジタル放送受信機。
【請求項５】
請求項１、２、３または４記載のＢＳデジタル放送受信機において、第２のキャリア再生回路によって再生されたキャリアがロックしていない場合、第１のキャリア再生回路によって再生されたキャリアがロック状態のときの第１のキャリア再生回路中におけるループフィルタからの出力を、第２のキャリア再生回路中におけるループフィルタからの出力にコピーするコピー手段を備えたことを特徴とするＢＳデジタル放送受信機。
【発明の詳細な説明】
【０００１】
【発明の属する技術分野】
本発明はＢＳデジタルＴＶ放送を受信するＢＳデジタル放送受信機に関し、さらに詳細には階層化伝送により変調されたデジタル信号が時分割多重されて送くられてくるＢＳデジタル信号を受信するＢＳデジタル放送受信機に関する。
【０００２】
【従来の技術】
ＢＳデジタル放送方式では、階層化変調方式と低ＣＮＲでの受信を可能にするバーストシンボル挿入という方式が採用されている。主信号は８ＰＳＫ変調、ＱＰＳＫ変調、ＢＰＳＫ変調のいずれかの１つ以上の変調方式を用いてフレーム単位で時分割に送信されている。バーストシンボルおよびＴＭＣＣ信号はＢＰＳＫ変調されている。
【０００３】
階層化伝送方式におけるフレーム構成は公知のように、例えば図１１（ａ）に示す如く、ＴＭＣＣ信号、８ＰＳＫの主信号、…、ＱＰＳＫの主信号、主信号間にバーストシンボル（ＢＳ）が挿入されて、１フレームは３９９３６シンボルで形成されている。
【０００４】
ＢＳデジタル放送受信機は、図１２に示すように、受信信号を中間周波信号に変換し、中間周波信号を準同期検波方式の直交検波して得たＩ、Ｑ信号を複素演算回路１１にて複素演算して復調し、ＦＩＲフィルタからなるロールオフフィルタ１２に通し、間引き回路１３にてシンボルストリームに変換する。
【０００５】
間引き回路１３から出力される復調データＤＩ、ＤＱから、後記するようにフレーム同期パターン検出、キャリア再生、絶対位相化およびＴＭＣＣデコードが順次なされて、８ＰＳＫ変調波、ＱＰＳＫ変調波、ＢＰＳＫ変調波の区間をそれぞれ示すＡ０、Ａ１信号からなる変調方式識別信号に基づく変調方式にしたがうキャリア再生位相誤差テーブルが選択され、復調データＤＩ、ＤＱを受けて位相誤差を検出する位相比較器を構成する位相誤差検出回路１５に供給して、位相誤差検出回路１５からキャリア再生に必要な位相誤差電圧を得て、ループフィルタ１７に供給してチューニング電圧を得る。
【０００６】
ループフィルタ１７から出力されるチューニング電圧は数値制御周波数発振器１８に供給し、数値制御周波数発振器１８からチューニング電圧に基づくｓｉｎθのデータとｃｏｓθのデータを出力させてキャリア再生を行う。数値制御周波数発振器１８の出力と直交検波出力Ｉ、Ｑとの乗算および加算の複素演算（Ｉｃｏｓθ＋Ｑｓｉｎθ、Ｉｓｉｎθ＋Ｑｃｏｓθ）が行われて、復調データＤＩ、ＤＱを得る。
【０００７】
復調データＤＩ、ＤＱは絶対位相化回路１４に供給して送信側との位相を一致させる絶対位相化させる。絶対位相化された復調データＡＤＩ、ＡＤＱ信号はＷ１検出回路２に供給して、復調データＡＤＩ、ＡＤＱからフレーム同期パターン（Ｗ１）を検出する。Ｗ１検出回路２において検出されたフレーム同期パターンに基づいてフレームタイミングが確立された復調データはデコーダ部３に供給してデコードする。
【０００８】
フレーム同期パターンの検出によってフレームタイミングが確立されると、フレーム同期パターン、ＴＭＣＣ信号、スーパーフレーム識別パターン、バーストシンボルのそれぞれの時系列的な位置が判明し、デコード部３においてデコードされる。デコーダ部３から出力されるＴＭＣＣ信号はＴＭＣＣデコード部に供給されて、ＴＭＣＣ信号がデコードされる。Ｗ１検出回路２において検出されたフレーム同期パターンとデコード部３から出力される受信ＣＮＲ（ＣＮＲが中高ＣＨＲ以上のとき高電位となる）に基づく切替指示信号とデコードされたＴＭＣＣ信号とはタイミング発生回路５に供給して、タイミング発生回路５からＡ０信号とＡ１信号とからなる変調方式識別信号とキャリ再生区間をバーストシンボル区間にすることを示すバーストイネーブル（ＢＲＴＥＮ）信号とを送出する。
【０００９】
Ａ１信号、Ａ０信号、切替指示信号、ＢＲＴＥＮ信号は図１１（ｂ）、（ｃ）、（ｄ）、（ｅ）に示す如くである。なお、図１２において符号１６はＡＦＣ作用をするデータ処理回路を示している。位相誤差検出回路１５、ループフィルタ１７、数値制御周波数発振器１８およびデータ処理回路１６はキャリア再生回路１９を構成している。
【００１０】
上記した従来のＢＳデジタル放送受信機においては、１つの復調回路１を用いて、高ＣＮＲ時における受信動作では、すべての変調方式に基づいて位相誤差検出が行われてキャリア再生を行っている（連続受信）。また、中ＣＮＲ時における受信動作において、ＢＰＳＫ変調された信号をバースト受信してキャリア再生を行っている（バースト受信）。
【００１１】
バースト受信は、詳細にはキャリア再生回路１９におけるループフィルタ１７の出力をホールド等の操作を行うことにより実現できる。低ＣＮＲ受信時の受信動作においてＢＰＳＫ変調された信号をバースト受信することによってその区間の位相誤差を使用してキャリア再生を行う。
【００１２】
【発明が解決しようとする課題】
しかし、アンテナを含むアウトドアユニット（  ＯＤＵ）等の周波数変換器の性能が十分とれていない場合、連続受信の場合と比べてバースト受信を行うとその位相雑音の影響により固定劣化の少ない受信が困難となるという問題点があった。
【００１３】
例えば、ＢＳデジタル放送受信機は、８ＰＳＫ変調波とＱＰＳＫ変調波とＢＰＳＫ変調波を高ＣＮＲで受信したとすると、連続受信を行ってキャリア再生を行う。受信状況が変化し中ＣＮＲ受信となった時、ＢＳデジタル放送受信機は８ＰＳＫ変調波を受信してキャリア再生を行うことが困難となり切替指示信号（図１１（ｄ）参照）に基づいて８ＰＳＫ変調部を除いてバースト受信しキャリア再生を行う。その切替の判断はトレリス復号後の誤り率等をモニターして行い、切替は任意のある値で切り替えるようにＢＳデジタル放送受信機に設定する。
【００１４】
ここで高ＣＮＲと中ＣＮＲの切替付近でのキャリア再生を考えた場合、連続受信していた時の限界ＣＮＲとバースト受信していた時の限界ＣＮＲが異なる（図１３参照）。次に、図１３について説明する。
【００１５】
図１３は横軸に位相雑音を、縦軸に限界ＣＮＲを取って示した図であって、（ａ）はキャリア再生が連続受信で行われて、８ＰＳＫ変調受信の時のビットエラーレートから求めた限界ＣＮＲであり、（ｂ）はキャリア再生がＢＰＳＫ変調区間の復調データにて行われるバースト受信で行われて、８ＰＳＫ変調受信の時のビットエラーレートから求めた限界ＣＮＲであり、（ｄ）はキャリア再生が連続受信（８ＰＳＫ変調区間を除く）で行われて、ＱＰＳＫ変調受信の時のビットエラーレートから求めた限界ＣＮＲであり、（ｅ）はキャリア再生がＢＰＳＫ変調区間の復調データにて行われるバースト受信で行われて、ＱＰＳＫ変調受信の時のビットエラーレートから求めた限界ＣＮＲである。ここで、限界ＣＮＲとは、この場合、連接符号化された誤り訂正で訂正不能になる点を言う。
【００１６】
例えば位相雑音θｒｍｓが１０（ｄｅｇ）のときに、高ＣＮＲ受信から中高ＣＮＲ受信へ移行したとき連続（ＢＰＳＫ変調区間、ＱＰＳＫ変調区間、８ＰＳＫ変調区間）受信からバースト受信への切り替えポイントが９．５ｄＢ（図１３（ａ）参照）で出され、中高ＣＮＲ受信から高ＣＮＲ受信へ移行したときバースト受信から連続受信への切り替えポイントが１３ｄＢ（図１３（ｂ）参照）で出される。このように、連続受信とバースト受信との相互の切り替えポイントの間にヒステリシスを持ち（例えば、図１３の矢印（ｃ）に示す）、さらに、このヒステリシス発生の要因はＯＤＵの位相雑音に依存するという問題が発生する。これを解消するために、ＯＤＵの位相雑音の度合いを検出することも考えられるが確実な方法ではない。
【００１７】
また、同様に、例えば位相雑音θｒｍｓが１０（ｄｅｇ）のときに、低ＣＮＲ受信から中低ＣＮＲ受信へ移行したとき連続（ＱＰＳＫ変調区間、８ＰＳＫ変調区間）受信からバースト受信への切り替えポイントが３．５ｄＢ（図１３（ｄ）参照）で出され、中低ＣＮＲ受信から低ＣＮＲ受信へ移行したときバースト受信から連続受信への切り替えポイントが４ｄＢ（図１３（ｅ）参照）で出される。このように、連続受信とバースト受信との相互の切り替えポイントの間にヒステリシスを持ち（例えば、図１３の矢印（ｆ）に示す）、さらに、このヒステリシス発生の要因はＯＤＵの位相雑音に依存するという問題が発生する。これを解消するために、ＯＤＵの位相雑音の度合いを検出することも考えられるが確実な方法ではない。
【００１８】
本発明は、受信方式の切替による位相雑音に依存するヒステリシスをなくして、最適な受信ができるＢＳデジタル放送受信機を提供することを目的とする。
【００１９】
【課題を解決するための手段】
本発明の請求項１にかかるＢＳデジタル放送受信機は、ＢＰＳＫ変調波、ＱＰＳＫ変調波および８ＰＳＫ変調波が時間軸多重化されたＢＳデジタル信号を受信するＢＳデジタル受信機において、
ＢＰＳＫ変調区間の復調データにおける位相誤差に基づいて復調のためのキャリアを再生する第１のキャリア再生回路を備えた第１の復調回路と、
ＢＰＳＫ変調区間の復調データ、ＱＰＳＫ変調区間の復調データおよび８ＰＳＫ変調区間の復調データにおける位相誤差に基づいて復調のためのキャリアを再生する第２のキャリア再生回路を備えた第２の復調回路と、
第１のキャリア再生回路によって再生されたキャリアのロックが維持され、かつ第２のキャリア再生回路によって再生されるキャリアがロック状態のときに、第２の復調回路から出力される８ＰＳＫ変調区間の復調データを選択し、第１の復調回路から出力されるＢＰＳＫ変調区間およびＱＰＳＫ変調区間の復調データを選択して出力するセレクタと
を備えたことを特徴とする。
【００２０】
本発明の請求項１にかかるＢＳデジタル放送受信機によれば、第１の復調回路は高ＣＮＲ受信、中ＣＮＲ受信、低ＣＮＲ受信にかかわらず常に第１のキャリア再生回路でＢＰＳＫ変調区間の復調データにおける位相誤差に基づいて復調のためのキャリアが再生され、高ＣＮＲ受信、中ＣＮＲ受信にかかわらず常にＢＰＳＫ変調波をバースト受信するために、キャリア再生が破綻することやフレーム同期が外れることはなく、一方、第２の復調回路では高ＣＮＲ受信、中ＣＮＲ受信にかかわらず常に連続受信することになって、８ＰＳＫ変調区間のビットエラーレート（ＢＥＲ）はＯＤＵの位相雑音に影響されなくなる。したがって、高ＣＮＲ受信、中ＣＮＲ受信を切り替えるポイントでのヒステリシスはなく位相雑音によって受ける影響もほとんどなくなる。さらにまた、切替という制御そのものも不要で動作が安定することになる。
【００２１】
本発明の請求項２にかかるＢＳデジタル放送受信機は、ＢＰＳＫ変調波、ＱＰＳＫ変調波および８ＰＳＫ変調波が時間軸多重化されたＢＳデジタル信号を受信するＢＳデジタル受信機において、
ＢＰＳＫ変調区間の復調データにおける位相誤差に基づいて復調のためのキャリアを再生する第１のキャリア再生回路を備えた第１の復調回路と、
第１のキャリア再生回路によって再生されたキャリアがロック状態のときに第１の復調回路から出力される復調データの受信点の分散からＣＮＲを求めるＣＮＲ演算手段と、
ＣＮＲがあらかじめ定めた値以上のとき、ＢＰＳＫ変調区間の復調データ、ＱＰＳＫ変調区間の復調データおよび８ＰＳＫ変調区間の復調データにおける位相誤差に基づいて復調のためのキャリアを再生する第２のキャリア再生回路を備えた第２の復調回路と、
演算されたＣＮＲが予め定めた値以上であって、第１のキャリア再生回路によって再生されたキャリアのロックが維持され、かつ第２のキャリア再生回路によって再生されるキャリアがロック状態のときに、第２の復調回路から出力される８ＰＳＫ変調区間の復調データを選択し、第１の復調回路から出力されるＢＰＳＫ変調区間およびＱＰＳＫ変調区間の復調データを選択して出力するセレクタと
を備えたことを特徴とする。
【００２２】
本発明の請求項３にかかるＢＳデジタル放送受信機は、ＢＰＳＫ変調波、ＱＰＳＫ変調波および８ＰＳＫ変調波が時間軸多重化されたＢＳデジタル信号を受信するＢＳデジタル受信機において、
ＢＰＳＫ変調区間の復調データにおける位相誤差に基づいて復調のためのキャリアを再生する第１のキャリア再生回路を備えた第１の復調回路と、
第１のキャリア再生回路によって再生されたキャリアがロック状態のときに第１の復調回路から出力される復調データの受信点の分散からＣＮＲを求めるＣＮＲ演算手段と、
ＣＮＲがあらかじめ定めた値未満のとき、ＢＰＳＫ変調区間の復調データおよびＱＰＳＫ変調区間の復調データにおける位相誤差に基づいて復調のためのキャリアを再生する第２のキャリア再生回路を備えた第２の復調回路と、
演算されたＣＮＲが予め定めた未満であって、第１のキャリア再生回路によって再生されたキャリアのロックが維持され、かつ第２のキャリア再生回路によって再生されるキャリアがロック状態のときに、第２の復調回路から出力されるＱＰＳＫ変調区間の復調データを選択し、第１の復調回路から出力されるＢＰＳＫ変調区間の復調データを選択して出力するセレクタと
を備えたことを特徴とする。
【００２３】
本発明の請求項２および請求項３にかかるＢＳデジタル放送受信機によれば、演算されたＣＮＲが予め定めた値以上であって、第１のキャリア再生回路によって再生されたキャリアのロックが維持され、かつ第２のキャリア再生回路によって再生されるキャリアがロック状態のときに、第２の復調回路から出力される８ＰＳＫ変調区間の復調データが選択され、第１の復調回路から出力されるＢＰＳＫ変調区間およびＱＰＳＫ変調区間の復調データが選択される。また、演算されたＣＮＲが予め定めた値未満であって、第１のキャリア再生回路によって再生されたキャリアのロックが維持され、かつ第２のキャリア再生回路によって再生されるキャリアがロック状態のときに、第２の復調回路から出力されるＱＰＳＫ変調区間の復調データを選択し、第１の復調回路から出力されるＢＰＳＫ変調区間の復調データを選択される。
【００２４】
したがって、第１の復調回路は中低ＣＮＲ受信、低ＣＮＲ受信にかかわらずＢＰＳＫ変調区間のみのバースト受信を行うために、キャリア再生が破綻することはなく、フレーム同期がはずれることはなく、第２の復調回路は高ＣＮＲ受信または中高ＣＮＲ受信では、８ＰＳＫ変調区間、ＱＰＳＫ変調区間およびＢＰＳＫ変調区間の復調データを使ってキャリア再生を行うので、高ＣＮＲ受信、中高ＣＮＲ受信を切り替えるポイントでのヒステリシスはなく、位相雑音による影響もなく、また、第２の復調回路は中低ＣＮＲ受信または低ＣＮＲ受信では、ＱＰＳＫ変調区間およびＢＰＳＫ変調区間の復調データを使ってキャリア再生を行うので、中低ＣＮＲ受信、低ＣＮＲ受信を切り替えるポイントでのヒステリシスはなく、位相雑音による影響もない。
【００２５】
本発明の請求項４にかかるＢＳデジタル放送受信機は、ＢＰＳＫ変調波、ＱＰＳＫ変調波および８ＰＳＫ変調波が時間軸多重化されたＢＳデジタル信号を受信するＢＳデジタル受信機において、
ＢＰＳＫ変調区間の復調データにおける位相誤差に基づいて復調のためのキャリアを再生する第１のキャリア再生回路を備えた第１の復調回路と、
第１のキャリア再生回路によって再生されたキャリアがロック状態のときに第１の復調回路から出力される復調データの受信点の分散からＣＮＲを求めるＣＮＲ演算手段と、
ＣＮＲがあらかじめ定めた値以上のとき、ＢＰＳＫ変調区間の復調データ、ＱＰＳＫ変調区間の復調データおよび８ＰＳＫ変調区間の復調データにおける位相誤差に基づいて復調のためのキャリアを再生し、かつＣＮＲがあらかじめ定めた値未満のとき、ＢＰＳＫ変調区間の復調データおよびＱＰＳＫ変調区間の復調データにおける位相誤差に基づいて復調のためのキャリアを再生する第２のキャリア再生回路を備えた第２の復調回路と、
演算されたＣＮＲが予め定めた値以上であって、第１のキャリア再生回路によって再生されたキャリアのロックが維持され、かつ第２のキャリア再生回路によって再生されるキャリアがロック状態のときに、第２の復調回路から出力される８ＰＳＫ変調区間の復調データを選択し、第１の復調回路から出力されるＢＰＳＫ変調区間およびＱＰＳＫ変調区間の復調データを選択し、演算されたＣＮＲが予め定めた未満であって、第１のキャリア再生回路によって再生されたキャリアのロックが維持され、かつ第２のキャリア再生回路によって再生されるキャリアがロック状態のときに、第２の復調回路から出力されるＱＰＳＫ変調区間の復調データを選択し、第１の復調回路から出力されるＢＰＳＫ変調区間の復調データを選択して出力するセレクタと
を備えたことを特徴とする。
【００２６】
本発明の請求項４にかかるＢＳデジタル放送受信機によれば、セレクタによって演算されたＣＮＲが予め定めた値以上であって、第１のキャリア再生回路によって再生されたキャリアのロックが維持され、かつ第２のキャリア再生回路によって再生されるキャリアがロック状態のときに、第２の復調回路から出力される８ＰＳＫ変調区間の復調データが選択され、第１の復調回路から出力されるＢＰＳＫ変調区間およびＱＰＳＫ変調区間の復調データが選択され、演算されたＣＮＲが予め定めた未満であって、第１のキャリア再生回路によって再生されたキャリアのロックが維持され、かつ第２のキャリア再生回路によって再生されるキャリアがロック状態のときに、第２の復調回路から出力されるＱＰＳＫ変調区間の復調データが選択され、第１の復調回路から出力されるＢＰＳＫ変調区間の復調データが選択され出力される。したがって、上記の場合と同様にＣＮＲ受信状態に基づく切り替えポイントでのヒステリシスはなく、位相雑音による影響もなくなる。
【００２７】
請求項５にかかるＢＳデジタル放送受信機は、請求項１、２、３または４記載のＢＳデジタル放送受信機において、第２のキャリア再生回路によって再生されたキャリアがロックしていない場合、第１のキャリア再生回路によって再生されたキャリアがロック状態のときの第１のキャリア再生回路中におけるループフィルタからの出力を、第２のキャリア再生回路中におけるループフィルタからの出力にコピーするコピー手段を備えたことを特徴とする。
【００２８】
また、本発明の請求項５にかかるＢＳデジタル放送受信機によれば、受信ＣＮＲに基づき第２のキャリア再生回路による再生キャリアがロックしていない場合、コピー手段によって第２のキャリア再生回路におけるループフィルタに第１のキャリア再生回路におけるループフィルタからの出力がその都度コピーされるため、第２のキャリア再生回路におけるループフィルタの出力が大きくかけ離れていないため、ロックに至る時間が短くて済む。
【００２９】
【発明の実施の形態】
以下、本発明にかかるＢＳデジタル放送受信機を実施に一形態によって説明する。
【００３０】
図１は本発明の実施の一形態にかかるＢＳデジタル放送受信機の構成を示すブロック図である。本発明の実施の一形態にかかるＢＳデジタル放送受信機においては復調回路を２つ備えている。また、図１において、図１２に示す従来のＢＳデジタル放送受信機と同一の構成要素には同一の符号を付して示してある。
【００３１】
本発明の実施の一形態にかかるＢＳデジタル放送受信機は復調回路６Ａおよび６Ｂを備えている。復調回路６Ａは従来のＢＳデジタル放送受信機における復調回路１における位相誤差検出回路１５に代わって、ＢＰＳＫ変調波の復調データ（ＢＰＳＫ変調区間の復調データとも記す。他の変調の場合も同様）のみから位相誤差信号を検出するための位相誤差テーブルを備えた位相誤差検出回路１５Ａを備えている。復調回路６Ｂは復調回路１にさらにＷ１位相検出回路２０を備えている。
【００３２】
本発明の実施の一形態にかかるＢＳデジタル放送受信機では、復調回路６Ａから出力される復調データＡＤＩ１、ＡＤＱ１と、復調回路６Ｂから出力される復調データＡＤＩ２、ＡＤＱ２との一方を選択するセレクタ７と、セレクタ７にて選択された復調データとロック信号ａが供給されるＷ１検出回路２Ａと、デコード部３、ＴＭＣＣデコード部４と、ＴＭＣＣ信号とフレーム同期パターンとロック信号ｂが供給されるタイミング発生回路５Ａと、データ処理回路１６Ａとを備えている。位相誤差検出回路１５Ａ、ループフィルタ１７Ａおよび数値制御周波数発振器１８はキャリア再生回路１９Ａを構成し、位相誤差検出回路１５、ループフィルタ１７Ｂおよび数値制御周波数発振器１８はキャリア再生回路１９Ｂを構成している。
【００３３】
復調回路６Ａはメインの復調回路で、準同期検波方式の直交検波されたＩ、Ｑ信号を数値制御周波数発振器１８からの出力と複素演算回路１１にて複素演算し、ロールオフフィルタ１２、間引き回路１３を通して出力される復調データＤＩ、ＤＱをＢＰＳＫ変調区間の復調データからキャリア再生するための位相誤差検出回路１５Ａに供給し、キャリア再生に必要な位相誤差電圧ＰＥＤを得て、ループフィルタ１７Ａに供給してループフィルタ１７Ａにてチューニング電圧ＬＦ１を得る。ループフィルタ１７Ａから出力されるチューニング電圧ＬＦ１は数値制御周波数発信器１８に供給して、数値制御周波数発振器１８からの発振周波数に基づいて、複素演算を行って、Ｉ、Ｑ信号を復調する。この復調はＢＰＳＫ変調波の復調データに基づく再生キャリアによってなされる。
【００３４】
セレクタ７では、当初、復調回路６Ａから出力される復調データＡＤＩ１、ＡＤＱ１を選択する。復調データＡＤＩ１、ＡＤＱ１よりフレーム同期パターン（Ｗ１）をＷ１検出回路２Ａにて検出し、フレームタイミングが確立されると、フレーム同期パターン、ＴＭＣＣ信号、スーパーフレーム識別パターン、バーストシンボルのそれぞれの時系列的な位置が判明し、タイミング発生回路５Ａから図１０（ｆ）に示すバーストイネーブル１（ＢＲＴＥＮ１）信号を出力する。
【００３５】
ロック信号ａを受けてＴＭＣＣデコード部４にてＴＭＣＣ信号がデコードされる。
【００３６】
位相誤差検出回路１５Ａによって検出された位相誤差はループフィルタ１７Ａに供給し、タイミング発生回路５Ａから出力されるＢＲＴＥＮ１信号によってフィルタリング／ホールド動作を行う。しかるに、位相誤差検出回路１５ＡにおいてはＢＰＳＫ変調区間の復調データに対する位相誤差テーブルのみが設けられているためにキャリア再生回路１９ＡではＢＰＳＫ変調区間の復調データから求められた位相誤差に基づくキャリアの再生がなされている。この再生キャリアによってバースト受信が可能となり、ＢＰＳＫ変調区間のみの受信（バースト受信）を行えば低ＣＮＲ受信が可能となる。
【００３７】
ＢＰＳＫ変調された上記区間の信号も含めた各種変調信号は、送信側では絶対位置化されておりフレーム同期パターンの受信点の基準から受信側での絶対位相復元が可能となる。ＢＰＳＫ変調区間のバースト受信動作では、絶対位相で受信するか１８０度回転した位相で受信するかのどちらかである。どちらで受信したかの判定は、絶対位相で受信すれば「１１１０１１００１１０１００１０１０００」となるフレーム同期パターンＷ１が逆位相では「０００１００１１００１０１１０１０１１１」となるだけでありフレーム同期パターンの検出位相により絶対位相化が行える。
【００３８】
タイミング発生回路５ＡはＴＭＣＣデコード部４によってデコードされたＴＭＣＣ信号のうち伝送モードによって８ＰＳＫ変調方式の区間、ＱＰＳＫ変調方式の区間およびＢＰＳＫ変調方式の区間を認識する全ての変調方式識別信号（Ａ０、Ａ１）を出力する。
【００３９】
復調回路６Ｂは、準同期検波方式の直交検波されたＩ、Ｑ信号を数値制御周波数発振器１８Ａからの出力と複素演算回路１１Ａにて複素演算し、ロールオフフィルタ１２Ａ、間引き回路１３Ａを通して出力される復調データＤＩ、ＤＱをＢＰＳＫ変調区間の復調データ、ＱＰＳＫ変調区間の復調データおよび８ＰＳＫ変調区間の復調データからキャリア再生するための位相誤差検出回路１５に供給し、キャリア再生に必要な位相誤差電圧を得て、ループフィルタ１７Ｂに供給してループフィルタ１７Ｂにてチューニング電圧ＬＦ２を得る。
【００４０】
ループフィルタ１７Ｂから出力されるチューニング電圧ＬＦ２は数値制御周波数発信器１８Ａに供給して、数値制御周波数発振器１８Ａからの発振周波数に基づいて、複素演算を行って、Ｉ、Ｑ信号を復調する。この位相誤差の検出は変調方式識別信号に基づいてＢＰＳＫ変調区間の復調データに対する位相誤差テーブル、ＱＰＳＫ変調区間の復調データに対する位相誤差テーブル、８ＰＳＫ変調区間の復調データに対する位相誤差テーブルが切り換えられ、それぞれに対して位相誤差が検出されて、キャリア再生がなされる。絶対位相化はＷ１位相検出回路２０でフレーム同期パターンＷ１の受信位相を検出しロック信号ｂを受けてその結果に基づいて行う。
【００４１】
上記のように、復調回路６Ｂは基本的に連続受信を行ってキャリア再生を行う。セレクタ７はロック信号ｂに基づく同期確立後８ＰＳＫ変調区間で復調回路６Ｂから出力される復調データＡＤＩ２、ＡＤＱ２を選択し、その他の区間では復調回路６Ａから出力される復調データＡＤＩ１、ＡＤＱ１を選択する。
【００４２】
本発明の実施の一形態にかかるＢＳデジタル放送受信機においては、高ＣＮＲ受信、中ＣＮＲ受信における連続受信およびバースト受信の切替制御は行わない。
【００４３】
データ処理回路１６Ａの動作は、基本的に復調回路６Ａのキャリア再生のＡＦＣ動作、復調回路６Ａおよび６Ｂのキャリアロック判定、復調回路６Ａおよび６Ｂのループフィルタ１７Ａおよび１７Ｂの制御である。
【００４４】
データ処理回路１６Ａは図２に示すように構成されて、復調データＡＤＩ２、ＡＤＱ２および変調方式識別信号（Ａ０、Ａ１）からキャリア再生同期検出回路１６１によって再生キャリアがロックした（本明細書において、ロックは再生キャリアがキャリア再生回路のロック範囲内に入ったことを意味する）ことを検出してロック信号ｂを出力し、同様に復調データＡＤＩ１、ＡＤＱ１および変調方式識別信号からキャリア再生同期検出回路１６２によって再生キャリアがロックしたことを検出してロック信号ａを出力し、復調データＡＤＩ１、ＡＤＱ１および変調方式識別信号から誤差周波数演算回路１６３によって誤差周波数を演算し、ロック信号ａ、ロック信号ｂ、チューニング電圧ＬＦ１、ＬＦ２および誤差周波数信号から制御回路１６４によって制御電圧ＩＦＣＳ１をループフィルタ１７Ａに出力し、制御電圧ＥＦＣＳ２をループフィルタ１７Ｂに出力する。
【００４５】
データ処理回路１６Ａの動作を中心に説明する。まず、最初はＡＦＣの大まかなスキャンニング動作（制御電圧ＩＦＣＳ１からチューニング電圧ＬＦ１に対してスキャン値を与える）によりＷ１検出回路２Ａでフレーム同期を行う。このときは復調回路６Ａではまだ再生キャリアはロックしていない。復調方式識別信号（Ａ０、Ａ１）から知ることができる、復調データＡＤＩ１、ＡＤＱ１のＴＭＣＣ区間の信号から再生キャリアの誤差周波数を計算し、チューニング電圧ＬＦ１に誤差周波数を重畳し、制御電圧ＩＦＣＳ１を経由してチューニング電圧ＬＦ１をセットする。
【００４６】
その後、ループフィルタ１７Ａをバースト動作させる。バースト動作は、ＢＲＴＥＮ１信号をイネーブル信号としてループフィルタ１７Ａを制御し、ＴＭＣＣ信号区間とバーストシンボル区間をそのイネーブル区間とする。復調方式識別信号（Ａ０、Ａ１）から知ることができる、復調データＡＤＩ１、ＡＤＱ１のＴＭＣＣ信号区間とバーストシンボル区間における受信点の分布を検出して再生キャリアのロックを確認する。
【００４７】
ロック信号ａにより再生キャリアがロックしていることが検出されたときは絶対位相化回路１４により全受信点の絶対位相化を行い、ＴＭＣＣデコード部４にてＴＭＣＣ信号をデコードする。デコードしたＴＭＣＣ信号を受けて、タイミング発生回路５Ａで変調方式識別信号Ａ０、Ａ１を生成する。復調回路６Ａのチューニング電圧ＬＦ１を制御電圧ＥＦＣＳ２を経由してチューニング電圧ＬＦ２にコピーする。
【００４８】
ロック信号ｂにより復調回路６Ｂにおける再生キャリアがロックしたことを、上記の復調回路６Ａの場合と同様の方法によって確認できたら、復調回路６Ｂから出力される復調データＤＩ、ＤＱの全受信点の絶対位相化を行う。ついで、セレクタ７によって８ＰＳＫ変調区間の復調データＡＤＩ２、ＡＤＱ２を復調回路６Ｂから選択し、その他の変調区間の復調データを復調回路６Ａから選択する。セレクタ７は初期状態および復調回路６Ｂの再生キャリアのロックがはずれているときは、復調回路６Ａからの復調データを選択している。
【００４９】
また、上記のロックの確認方法としては、例えば、ＢＰＳＫ変調されたパーストシンボルの復調データに基づく受信点の分散値を計算する方法がある。
【００５０】
上記のようにデータ処理回路１６Ａでは、再生キャリアのロック確認後チューニング電圧ＬＦ１を復調回路６Ｂの制御電圧ＥＦＣＳ２として与え、ＡＤＩ２、ＡＤＱ２をモニターしてキャリア再生のロック確認をする。また、中ＣＮＲ受信、低ＣＮＲ受信の場合、復調回路６Ｂの再生キャリアはロックしていない可能性が高くチューニング電圧ＬＦ２の値が大きくくずれることがある。
【００５１】
しかるに、データ処理回路１６Ａはその場合チューニング電圧ＬＦ２をチューニング電圧ＬＦ１からかけ離れないように、換言すれば、復調回路６Ｂのキャプチャーレンジ内にとどまるように、ロックがはずれる毎にチューニング電圧ＬＦ１を、制御電圧ＥＦＣＳ２を制御してチューニング電圧ＬＦ２にコピーすることになる。したがって、チューニング電圧ＬＦ２の復帰が早く、しかもバースト受信と連続受信とを同時に行っているため、図１２に示したようなヒステリシスの発生がなくなる。
【００５２】
なお、データ処理回路１６Ａの変形例について説明する。図５はデータ処理回路１６Ａの変形例であるデータ処理回路１６Ｂのブロック図である。データ処理回路１６Ｂでは、データ処理回路１６Ａにおける誤差周波数演算回路１６３に代わって、誤差周波数演算回路１６３Ａを設けて、誤差周波数演算回路１６３Ａによって、変調識別信号Ａ０、Ａ１と位相誤差検出回路１５Ａから出力される位相誤差信号ＰＥＤとから誤差周波数を演算する。その他についてはデータ処理回路１６Ａと同様である。
【００５３】
次に本発明の実施の一形態にかかるＢＳデジタル放送受信機における以上の作用を図３および４に示したフローチャートにしたがって説明する。
【００５４】
チャンネルの選局がされると（ステップＳ１）、復調データＡＤＩ１、ＡＤＱ１からＷ１のフレーム同期がとられる（ステップＳ２）。ステップＳ２に続いて、ＴＭＣＣ信号区間およびバーストシンボル区間のタイミング信号が発生させられる（ステップＳ３）。ステップＳ３ではＴＭＣＣ信号、バーストシンボルおよびＢＰＳＫ変調区間を示すための変調方式識別信号（Ａ０、Ａ１）が発生させられる。ステップＳ３に続いて復調回路６ＡのＡＦＣ動作が行われ（ステップＳ４）、復調回路６ＡにてＴＭＣＣ信号、バーストシンボルによるキャリア再生が行われる（ステップＳ５）。ステップＳ５においてはＢＲＴＥＮ１信号によりＢＰＳＫ変調区間のみが受信される。
【００５５】
ステップＳ５に続いて復調回路６Ａにおいて再生キャリアがロックしたか否かがチェックされ、ロックしていないと判別されたときはロックするまで繰り返してステップＳ６に続いてステップＳ２から再び実行される。再生キャリアがロックしていると判別されたときはステップＳ６に続いて絶対位相化がなされ（ステップＳ７）、次いでＴＭＣＣ信号がデコードされる（ステップＳ８）。ステップＳ８に続いて全変調方式を識別する変調方式識別信号Ａ０、Ａ１のタイミング信号が送出されて（ステップＳ９）、復調回路６Ａのチューニング電圧ＬＦ１が復調回路６Ｂのチューニング電圧ＬＦ２にコピーされる（ステップＳ１０）。
【００５６】
ステップＳ１０に続いて、復調回路６Ａの再生キャリアのロックが維持されているか否かがチェックされ（ステップＳ１１）、再生キャリアのロックが維持されていないと判別されたときは、ステップＳ１１に続きステップＳ２から再び繰り返して実行される。ステップＳ１１において再生キャリアのロックが維持されていると判別されたときは、ステップＳ１１に続いて復調回路６Ｂの再生キャリアがロックしているか否かがチェックされる（ステップＳ１２）。
【００５７】
ステップＳ１２において再生キャリアのロックが維持されていないと判別されたときはステップＳ１２に続いてセレクタ７によって復調回路６Ａから出力される復調データＡＤＩ１、ＡＤＱ１が選択されて（ステップＳ１３）、次いでステップＳ１０から再び実行される。
【００５８】
ステップＳ１２において、再生キャリアのロックが維持されていると判別されたときはステップＳ１２に続いてＷ１位相検出回路２０により復調データＤＩ２、ＤＱ２の絶対位相化が行われて（ステップＳ１４）、次いでセレクタ７によって、復調回路６Ｂの８ＰＳＫ変調区間の復調データＡＤＩ２、ＡＤＱ２が選択され、それ以外のデータＱＰＳＫ区間およびＢＰＳＫ区間の復調データは復調回路６Ａからの復調データＡＤＩ１、ＡＤＱ１から選択されて（ステップＳ１５）、ステップＳ１１から繰り返して実行される。
【００５９】
以上説明したように、本発明の実施の一形態にかかるＢＳデジタル放送受信機によれば、復調回路６Ｂが高ＣＮＲ受信、中ＣＮＲ受信に拘わらず常に連続受信するために８ＰＳＫ変調区間のビットエラーレート（ＢＥＲ）はＯＤＵの位相雑音に影響されなくなる。一方、復調回路（６Ａ）は高ＣＮＲ受信、中ＣＮＲに拘わらず常にＢＰＳＫ変調波をバースト受信するために、キャリア再生が破綻することやフレーム同期が外れることはない。したがって、前記した高ＣＮＲ受信、中ＣＮＲ受信を切り替えるポイントでのヒステリシスはなく位相雑音によって受ける影響もほとんどない。また、切替という制御そのものも不要で動作が安定することになる。
【００６０】
次に本発明の実施に一形態にかかるＢＳデジタル放送受信機の変形例について説明する。
【００６１】
図６は本発明の実施に一形態にかかるＢＳデジタル放送受信機の変形例の構成を示すブロック図である。本変形例は、高ＣＮＲ受信から中高ＣＮＲ受信の切り替えおよび中ＣＮＲ受信から低ＣＮＲ受信の切り替えも可能にする例である。
【００６２】
本変形例においては、復調回路６Ａは本発明の実施に一形態にかかるＢＳデジタル放送受信機の場合と同様の構成である。図６においてＢＲＴＥＮ２信号はＢＲＴＥＮ１信号と同一の信号をＢＲＴＥＮ２信号で示してある。復調回路６Ｃは復調回路６Ｂにおけるループフィルタ１７Ｂに代わって、図１１（ｇ）に示すように、高ＣＮＲ受信または中高ＣＮＲ受信のときにおいてＢＰＳＫ変調区間とＱＰＳＫ変調区間と８ＰＳＫ変調区間イネーブルとし、かつ中低ＣＮＲ受信または低ＣＮＲ受信のときにおいてＢＰＳＫ変調区間とＱＰＳＫ変調区間イネーブルとなるＢＲＴＥＮ３信号が供給されるループフィルタ１７Ｃを備えたキャリア再生回路１９Ｃが用いられている点が異なっている。
【００６３】
さらに、本変形例では、さらに、データ処理回路１６Ｂに代わって、図７に示すように、データ処理回路１６Ｂに加えるに復調データＡＤＩ１、ＡＤＱ１からなる受信点の分散値からＣＮＲを求めるＣＮＲ計算回路１６５が加わった構成のデータ処理回路１６Ｃが用いられている点と、タイミング発生回路５Ａに代わって上記の分散値から求めたＣＮＲが供給されるタイミング発生回路５Ｂが用いられている点が、本発明の実施の一形態にかかるＢＳデジタル放送受信機と異なっている。
【００６４】
つぎに、本変形例の作用をデータ処理回路１６Ｃの動作を中心に説明する。まず、最初はＡＦＣの大まかなスキャンニング動作（制御電圧ＩＦＣＳ１からチューニング電圧ＬＦ１に対してスキャン値を与える）によりＷ１検出回路２Ａでフレーム同期を行う。このときは復調回路６Ａではまだ再生キャリアはロックしていない。復調データＡＤＩ１、ＡＤＱ１のＴＭＣＣ区間の信号から再生キャリアの誤差周波数を計算し、チューニング電圧ＬＦ１に誤差周波数を重畳し、制御電圧ＩＦＣＳ１を経由してチューニング電圧ＬＦ１をセットする。
【００６５】
その後、ループフィルタ１７Ａをバースト動作させる。バースト動作は、ＢＲＴＥＮ２信号をイネーブル信号としてループフィルタ１７Ａを制御し、ＴＭＣＣ信号区間とバーストシンボル区間をそのイネーブル区間とする。復調データＡＤＩ１、ＡＤＱ１のＴＭＣＣ信号区間とバーストシンボル区間の受信点の分布を検出して再生キャリアのロックを確認する。
【００６６】
再生キャリアがロックしているときは絶対位相化回路１４により全受信点の絶対位相化を行い、ＴＭＣＣデコード部４にてＴＭＣＣ信号をデコードする。復調データＡＤＩ１、ＡＤＱ１から受信点の分散値を計算し、ＣＮＲを求める。ＣＮＲが中高ＣＮＲ以上であればデコードしたＴＭＣＣ信号を受けて、タイミング発生回路５Ｂで変調方式識別信号Ａ０、Ａ１を生成し、変調方式識別信号ＢＲＴＥＮ３を高電位にする。復調回路６Ａのチューニング電圧ＬＦ１を制御電圧ＥＦＣＳ２を経由してチューニング電圧ＬＦ２にコピーする。
【００６７】
復調回路６Ｃにおける再生キャリアがロックしたことを、上記の復調回路６Ａの場合と同様の方法によって確認できたら、復調回路６Ｃから出力される復調データＤＩ、ＤＱの全受信点の絶対位相化を行う。ついで、セレクタ７によって８ＰＳＫ変調区間の復調データＡＤＩ２、ＡＤＱ２を復調回路６Ｃから選択し、その他の変調区間の復調データを復調回路６Ａから選択する。
【００６８】
一方、ＣＮＲが中高以上でなければ、ＴＭＣＣ信号がデコードされタイミング発生回路５Ｂで変調方式識別信号Ａ０、Ａ１を生成し、ＢＲＴＥＮ３信号を８ＰＳＫ変調区間のみ低電位、つまり８ＰＳＫ変調区間のみディスイネーブルとしてその他の変調区間では高電位とする。復調回路６Ａのチューニング電圧ＬＦ１を、制御電圧ＥＦＣＳ２を経由して復調回路６Ｃのチューニング電圧ＬＦ２にコピーする。
【００６９】
復調回路６Ｃの再生キャリアがロックしたことを確認したら、復調回路６Ｃの復調データＡＤＩ２、ＡＤＱ２に基づく受信点を絶対位相化する。次いでセレクタ７はＱＰＳＫ変調区間の復調データを復調回路６Ｃから選択し、その他の変調区間の復調データを復調回路６Ａから選択する。セレクタ７は初期状態および復調回路６Ｃの再生キャリアのロックがはずれているときは、復調回路６Ａからの復調データを選択している。
【００７０】
次に本発明の実施の一形態にかかるＢＳデジタル放送受信機の変形例における以上の作用を図８〜図１０に示したフローチャートにしたがって説明する。
【００７１】
チャンネルの選局がされると（ステップＳ２１）、復調データＡＤＩ１、ＡＤＱ１からＷ１のフレーム同期がとられる（ステップＳ２２）。ステップＳ２２に続いて、ＴＭＣＣ信号区間およびバーストシンボル区間のタイミング信号が発生させられる（ステップＳ２３）。ステップＳ２３ではＢＰＳＫ変調区間の信号を識別する変調識別信号（Ａ０、Ａ１）が発生させられる。ステップＳ２３に続いて復調回路６ＡのＡＦＣ動作が行われ（ステップＳ２４）、復調回路６ＡにてＴＭＣＣ信号、バーストシンボルによるキャリア再生が行われる（ステップＳ２５）。ステップＳ５においてはＢＲＴＥＮ２信号によりＢＰＳＫ変調区間のみが受信される。
【００７２】
ステップＳ２５に続いて復調回路６Ａにおいて再生キャリアがロックしたか否かがチェックされ、ロックしていないと判別されたときはロックするまで繰り返してステップＳ２６に続いてステップＳ２から再び実行される。再生キャリアがロックしていると判別されたときはステップＳ２６に続いて絶対位相化がなされ（ステップＳ２７）、次いでＴＭＣＣ信号がデコードされる（ステップＳ２８）。ステップＳ２８に続いて全ての変調方式識別信号Ａ０、Ａ１のタイミング信号が送出されて（ステップＳ２９）、ＣＮＲが中高ＣＮＲ以上か否かがチェックされる（ステップＳ３０）。
【００７３】
ステップＳ３０において、ＣＮＲが中高ＣＮＲ以上であると判別されると、変調方式識別信号Ａ０、Ａ１が発生され、ＢＲＴＥＮ３信号は常に高電位にされ（ステップＳ３１）、復調回路６Ａのチューニング電圧ＬＦ１が復調回路６Ｃのチューニング電圧ＬＦ２にコピーされる（ステップＳ３２）。ステップＳ３２に続いて復調回路６Ａにおける再生キャリアのロックが維持されているか否かがチェックされる（ステップＳ３３）。
【００７４】
ステップＳ３３において復調回路６Ａにおける再生キャリアのロックが維持されていないと判別されたときはステップ３３からステップＳ２２が実行される。ステップＳ３３において復調回路６Ａにおける再生キャリアのロックが維持されていると判別されたときは、ステップ３３に続いて復調回路６Ｃにおける再生キャリアがロックされているか否かがチェックされる（ステップＳ３４）。ステップＳ３４において、復調回路６Ｃにおける再生キャリアがロックされていないと判別されたときは、セレクタ７によって復調回路６Ａの復調データが選択されて、ステップＳ３０が実行される（ステップＳ３５）。
【００７５】
ステップＳ４において、復調回路６Ｃにおける再生キャリアがロックされていると判別されたときは、Ｗ１位相検出回路２０により復調データＤＩ２、ＤＱ２の絶対位相化が行われて（ステップＳ３６）、次いでセレクタ７によって復調回路６Ｃの８ＰＳＫ変調区間の復調データＡＤＩ２、ＡＤＱ２が選択され、それ以外のＱＰＳＫ区間およびＢＰＳＫ区間の復調データは復調回路６Ａから選択されて（ステップＳ３７）、次いで、ＣＮＲが中高ＣＮＲか否かがチェックされ（ステップＳ３８）、ＣＮＲが中高ＣＮＲ以上と判別されたときはステップＳ３３から繰り返して実行される。
【００７６】
ステップＳ３８においてＣＮＲが中高ＣＮＲ以上と判別されないとき、ステップＳ３０においてＣＮＲが中高ＣＮＲ以上と判別されないときには、変調方式識別信号Ａ０、Ａ１が発生させられ、ＢＲＴＥＮ３信号は８ＰＳＫ変調区間のみが低電位にされる（ステップＳ３９）。ステップＳ３９に続いて、復調回路６Ａのチューニング電圧ＬＦ１が復調回路６Ｃのチューニング電圧ＬＦ２にコピーされる（ステップＳ４０）。
【００７７】
ステップＳ４０に続いて、復調回路６Ａにおける再生キャリアのロックが維持されているか否かがチェックされる（ステップＳ４１）。ステップＳ４１において復調回路６Ａにおける再生キャリアのロックが維持されていないと判別されたときはステップＳ４１に続いてステップＳ２２から繰り返して実行される。ステップＳ４１において復調回路６Ａにおける再生キャリアのロックが維持されていると判別されたときは、復調回路６Ｃにおける再生キャリアがロックされているか否かがチェックされる（ステップＳ４２）。
【００７８】
ステップ４２において復調回路６Ｃにおける再生キャリアがロックされていないと判別されたときは、ステップＳ３５から繰り返して実行される。ステップＳ４２において復調回路６Ｃにおける再生キャリアのロックが維持されていると判別されたときは、ステップ４２に続いてＷ１位相検出回路２０により復調データＤＩ２、ＤＱ２の絶対位相化が行われて（ステップＳ４３）、次いでセレクタ７によって復調回路６ＣのＱＰＳＫ変調区間の復調データＡＤＩ２、ＡＤＱ２が選択され、それ以外の８ＰＳＫ区間およびＢＰＳＫ区間の復調データは復調回路６Ａから選択される（ステップＳ４４）。
【００７９】
ステップＳ４４に次いで、ＣＮＲが高ＣＮＲまたは中高ＣＮＲか否かがチェックされ（ステップＳ４５）、ステップＳ４５においてＣＮＲが高ＣＮＲまたは中高ＣＮＲでないと判別されたときはステップＳ４１から繰り返して実行され、ステップＳ４５においてＣＮＲが高ＣＮＲまたは中高ＣＮＲであると判別されたときはステップＳ３０から繰り返して実行される。
【００８０】
すなわち、本変形例ではＢＲＴＥＮ３信号は、高ＣＮＲおよび高中ＣＮＲの受信では常に高電位となり、中低ＣＮＲおよび低ＣＮＲの受信では８ＰＳＫ変調区間のみ低電位となる。高ＣＮＲおよび中高ＣＮＲの受信では、ＢＲＴＥＮ２信号がＱＰＳＫ変調区間および８ＰＳＫ変調区間の間低電位であって、復調回路６ＡがＢＰＳＫ変調区間のバースト受信を行っている。
【００８１】
低ＣＮＲ受信では、復調回路６ＡがＢＰＳＫ変調区間のみ、ＢＲＴＥＮ２信号が高電位となりバースト受信を行う。復調回路６Ａの役割は高、中高ＣＮＲ受信下でのキャリア再生系の基本同期維持およびＱＰＳＫ変調区間のデータ再生、中低ＣＮＲ、低ＣＮＲ受信下でのキャリア再生系の基本同期維持である。復調回路６Ｃの役割は、高ＣＮＲ受信下における連続受信によるキャリア再生での８ＰＳＫ変調区間のデータ再生、中低ＣＮＲ受信下における８ＰＳＫ変調区間を除いたバースト受信によるＱＰＳＫ変調区間、ＢＰＳＫ変調区間のデータの再生を行う。
【００８２】
高、中高、中低、低ＣＮＲ受信のそれぞれの判定は、ＣＮＲの演算をする回路（データ処理回路１６Ｃ内）によって可能である。特に中高、中低ＣＮＲの判定によって、復調回路６Ａの受信方式を復調回路６Ｃに切り替え、同時にセレクタ７の選択を復調回路６Ｃによるデータ再生系に切り替える。そうすることによって、復調回路６Ｃが中低ＣＮＲ受信、低ＣＮＲ受信にかかわらず、常に８ＰＳＫ変調区間を除いてバースト受信するためにＱＰＳＫ変調区間のＢＥＲはＯＤＵの位相雑音に影響されなくなる。
【００８３】
一方、復調回路６Ａは中低ＣＮＲ受信、低ＣＮＲ受信にかかわらず常にバーストンシンボル区間のみのバースト受信するために、キャリア再生が破綻することやフレーム同期が外れることはない。したがって、他方の復調回路６Ｃが最適受信を行っているために、中低ＣＮＲ受信を切り替えるポイントでのヒステリシスはなく位相雑音によって受ける影響もほとんどない。また、切替という制御そのものも不要で、動作が安定する。
【００８４】
【発明の効果】
以上説明したように本発明のＢＳデジタル放送受信機によれば、復調回路を並列に設けて高ＣＮＲ受信、中ＣＮＲ受信の受信方式切替による位相雑音に依存するヒステリシスがなくなり、最適な受信を行うことができる。
【図面の簡単な説明】
【図１】本発明の実施に一形態にかかるＢＳデジタル放送受信機の構成を示すブロック図である。
【図２】本発明の実施に一形態にかかるＢＳデジタル放送受信機におけるデータ処理回路の構成を示すブロック図である。
【図３】本発明の実施に一形態にかかるＢＳデジタル放送受信機の作用の説明に供するフローチャートである。
【図４】本発明の実施に一形態にかかるＢＳデジタル放送受信機の作用の説明に供するフローチャートである。
【図５】本発明の実施に一形態にかかるＢＳデジタル放送受信機におけるデータ処理回路の他の構成を示すブロック図である。
【図６】本発明の実施に一形態にかかるＢＳデジタル放送受信機の変形例の構成を示すブロック図である。
【図７】本発明の実施に一形態にかかるＢＳデジタル放送受信機の変形例におけるデータ処理回路の構成を示すブロック図である。
【図８】本発明の実施に一形態にかかるＢＳデジタル放送受信機の変形例の作用の説明に供するフローチャートである。
【図９】本発明の実施に一形態にかかるＢＳデジタル放送受信機の変形例の作用の説明に供するフローチャートである。
【図１０】本発明の実施に一形態にかかるＢＳデジタル放送受信機の変形例の作用の説明に供するフローチャートである。
【図１１】本発明の実施に一形態にかかるＢＳデジタル放送受信機および変形例における受信方式切替のタイミング図である。
【図１２】従来のＢＳデジタル放送受信機の構成を示すブロック図である。
【図１３】連続受信およびバースト受信における位相雑音による限界ＣＮＲの説明図である。
【符号の説明】
１、６Ａ、６Ｂおよび６Ｃ  復調回路
２  Ｗ１検出回路
３  デコード部
４  ＴＭＣＣデコード部
５、５Ａおよび５Ｂ  タイミング信号発生回路
７  セレクタ
１１および１１Ａ  複素演算回路
１２および１２Ａ  ロールオフフィルタ
１３および１３Ａ  間引き回路
１４および１４Ａ  絶対位相化回路
１５、１５Ａおよび１５Ｂ  位相誤差検出回路
１６、１６Ａ、１６Ｂおよび１６Ｃ  データ処理回路
１７、１７Ａ、１７Ｂおよび１７Ｃ  ループフィルタ
１８および１８Ａ  数値制御周波数発振器
１９、１９Ａおよび１９Ｂ  キャリア再生回路
２０  Ｗ１位相検出回路
【図１】
0003634187.tif 000002
【図２】
0003634187.tif 000003
【図３】
0003634187.tif 000004
【図４】
0003634187.tif 000005
【図５】
0003634187.tif 000006
【図６】
0003634187.tif 000007
【図７】
0003634187.tif 000008
【図８】
0003634187.tif 000009
【図９】
0003634187.tif 000010
【図１０】
0003634187.tif 000011
【図１１】
0003634187.tif 000012
【図１２】
0003634187.tif 000013
【図１３】
0003634187.tif 000014